(57)【要約】      （修正有）【課題】吊下げ用物品を、整理して取出し可能に収納する物品類掛止具を提供する。【解決手段】天板１と底板２との間に立設された中心軸３を有し、中心軸３の上部と下部に放射状に略等間隔に複数配置された上段横軸部４と下段横軸部５とが、中心軸３を中心に連動して回転可能に取り付けられており、上下に略垂直に対向する上段横軸部４と下段横軸部５には、左右に隣接する上段横軸部４、４と下段横軸部５、５とを仕切る仕切り部６が着脱可能に掛け渡されており、左右に隣接する上段横軸部４と４または下段横軸部５と５の間には手荷物類掛止め用のスペースが形成されると共に、手荷物類を吊り下げる掛止具７が設けられていることを特徴とする。【選択図】図１
0003218080.tif 000002
【実用新案登録請求の範囲】
【請求項１】
天板と底板との間に立設された中心軸を有し、該中心軸の上部と下部に放射状に略等間隔に複数配置された上段横軸部と下段横軸部とが、前記中心軸を中心に連動して回転可能に取り付けられており、
上下に略垂直に対向する上段横軸部と下段横軸部には、左右に隣接する上段横軸部と下段横軸部とを仕切る仕切り部が着脱可能に掛け渡されており、
左右に隣接する上段横軸部または下段横軸部の間には手荷物類掛止め用の収納スペースが形成されると共に、手荷物類を吊り下げる掛止具が設けられていることを特徴とする物品類掛止具。
【請求項２】
上段横軸部または下段横軸部の先端に仕切り部の抜け落ちを防止するストッパが設けられており、該ストッパに収納スペースの使用者を示す識別子が表示可能となっていることを特徴とする請求項１に記載の物品類掛止具。
【請求項３】
仕切り部に、仕切り部の表裏の一方に基端が固定され一定の長さを有して先端が表裏の他方に固定された第１係合部に着脱可能な第２係合部が設けられた補助紐部が設けられており、
一方の仕切り部に設けられた補助紐部は先端の第２係合部を隣接する他方の仕切り部に形成された第１係合部に係合することができ、
また、一方の仕切り部に設けられた補助紐部の先端の第２係合部を該一方の仕切り部に設けられた第１係合部に係合しうることを特徴とする請求項１または２に記載の物品類掛止具。
【請求項４】
仕切り部に１または複数の受孔が形成されており、手荷物類を掛止める掛止具の基端に設けた係合突部を係合しうることを特徴とする請求項１から３のいずれかに記載の物品類掛止具。
【請求項５】
左右に隣接する上段横軸部または下段横軸部に着脱可能に掛け止めて、上段横軸部間または下段横軸部間に形成される開放空間を塞ぐ上部天板部または中空底板部が設けられていることを特徴とする請求項１から４のいずれかに記載の物品類掛止具。
【考案の詳細な説明】
【技術分野】
【０００１】
この考案は、複数の人の手荷物類や衣服、手回り品等をコンパクトな空間に整理して掛け止めて小スペースで収納することができる物品類掛止具に関する。
【背景技術】
【０００２】
従来この種の構造として、例えば、引用文献１の商品陳列用ハンガーがある。
この商品陳列用ハンガーは、吊下げ具と、吊下げ具を挿入する開口部を有する台紙と、からなる商品陳列用ハンガーであって、前記吊下げ具は、フックと支持部と係止部を有し、前記支持部のフック側に前記係止部を回転させるつまみを有し、前記台紙の開口部に前記係止部を挿入し、前記つまみを回転させ、台紙と係止する構造となっている。
上記構造では、平面的に吊下げ具を配置することから、複数の吊下げ具を設けるには、大きな平面が必要となり、広いスペースが必要となり、収納スペースも大きく設定することができない。
そこで、回転軸に放射状に配置された複数の横軸を設けて、横軸間に物品を吊り下げる構造が知られているが、左右に吊り下げた物品が絡まり合うなどの不具合があった。
また、横軸を回転軸を中心に回転させる場合には、吊り下げた物品が底面上を摺動して物品の接地面が汚れたり、損傷するおそれもあった。
【先行技術文献】
【特許文献】
【０００３】
【特許文献１】特開２０１１−２５５０８３号公報
【考案の概要】
【考案が解決しようとする課題】
【０００４】
この考案が解決しようとする問題点は、複数の手荷物類等の物品を吊り下げてコンパクトに収納することができる物品類掛止具に関する。
【課題を解決するための手段】
【０００５】
上記課題を解決するために、請求項１の考案は、
天板と底板との間に立設された中心軸を有し、該中心軸の上部と下部に放射状に略等間隔に複数配置された上段横軸部と下段横軸部とが、前記中心軸を中心に連動して回転可能に取り付けられており、
上下に略垂直に対向する上段横軸部と下段横軸部には、左右に隣接する上段横軸部と下段横軸部とを仕切る仕切り部が着脱可能に掛け渡されており、
左右に隣接する上段横軸部または下段横軸部の間には手荷物類掛止め用の収納スペースが形成されると共に、手荷物類を吊り下げる掛止具が設けられていることを特徴とする。
請求項２の考案では、
前記上段横軸部または下段横軸部の先端に仕切り部の抜け落ちを防止するストッパが設けられており、該ストッパに収納スペースの使用者を示す識別子が表示可能となっていることを特徴とする。
請求項３の考案では、
前記仕切り部に、仕切り部の表裏の一方に基端が固定され一定の長さを有して先端が表裏の他方に固定された第１係合部に着脱可能な第２係合部が設けられた補助紐部が設けられており、
掛止具に物品を吊り下げた場合には、一方の仕切り部に設けられた補助紐部を伸ばして先端の第２係合部を隣接する他方の仕切り部に形成された第１係合部に係合して、隣接する一対の仕切り部間に掛け止められた物品の揺動を規制し、
掛止具に物品を吊り下げない場合には、一方の仕切り部に設けられた補助紐部の先端の第２係合部を該一方の仕切り部に設けられた第１係合部に係合してなることを特徴とする。
請求項４の考案では、
前記仕切り部に１または複数の受孔が形成されており、手荷物類を掛止める掛止具の基端に設けた係合突部を係合しうることを特徴とする。
請求項５の考案では、
前記左右に隣接する上段横軸部または下段横軸部に着脱可能に掛け止めて、上段横軸部間または下段横軸部間に形成される開放空間を塞ぐ上部天板部または中空底板部が設けられていることを特徴とする。
【考案の効果】
【０００６】
本考案の物品類掛止具は、左右に隣接する上段横軸部または下段横軸部の間には仕切り部で仕切られた手荷物類掛止め用の収納スペースが形成されるので、狭いエリアであっても多数の人の手荷物類や上着、タオル類を個別の収納スペースに吊り下げて収納することができる。
また、上段横軸部または下段横軸部の先端に識別子を設けることで、自分の吊り下げた物品を容易に見分けられる。
また、上部天板部または中空底板部を左右に隣接する上段横軸部または下段横軸部に取り付けることで、収納スペースに収納した物品の底面を上部天板部または中空底板部上に載置するので、上部天板部や中空底板部が回転しても、物品の底部がこすれて汚れたり、損傷するおそれがない。
【図面の簡単な説明】
【０００７】
【図１】物品類掛止具の実施例を示す斜視図である。
【図２】同天板を省略した平面図である。
【図３】上段横軸部と下段横軸部に仕切り部を取り付ける一例を示す要部側面図であり、（ａ）が上段横軸部と下段横軸部、（ｂ）が仕切り部である。
【図４】（ａ）は仕切壁部の異なる形状、（ｂ）は仕切り部に補助掛止具の掛止め用の受穴を設けた正面図、（ｃ）は補助掛止具の拡大した斜視図である、
【図５】仕切り部に補助紐部を設けた側面図である。
【図６】補助紐部を展開した状態の一部を省略した拡大図である。
【図７】補助紐部を同一の仕切り部に係合した状態の待機時の説明図である。
【図８】補助紐部を隣接する一対の仕切り部間に掛け渡した状態の使用時の説明図である。
【図９】（ａ）は隣接する下段横軸部間に中空底板部を取り付けた状態の天板を省略した平面図、（ｂ）は中空底板部の斜視図である。
【図１０】全体形状が平面円形である物品類掛止具を示す天板を省略した平面図である。
【考案を実施するための形態】
【０００８】
以下に、この考案の物品類掛止具を、児童用の手荷物や着衣、手回り品などを掛止める掛止具として用いた場合の好適実施例について、図面を参照しながら説明する。
【実施例１】
【０００９】
以下に、この考案の物品類掛止具の好適実施例について図面を参照しながら説明する。
この物品類掛止具１０は、天板１と底板２との間に垂直に立設された中心軸３が取り付けられている。
図示例で、天板１と底板２とは、コーナーを面取りした略矩形板からなっており、等間隔に複数の中心軸３が立設されている。
【００１０】
前記中心軸３の上部と下部には、放射状に略等間隔に複数の上段横軸部４、４、・・と下段横軸部５、５、・・とが取り付けられている。
前記中心軸３が天板１と底板２に旋回自在に軸支されている場合には、上段横軸部４と下段横軸部５とは中心軸３に固定されて中心軸３に連動して旋回することができる。
【００１１】
前記中心軸３が天板１と底板２に固定されている場合には、該中心軸３の上下に旋回自在に取り付けられた旋回体３ａ、３ｂに上段横軸部４と下段横軸部５とが固定されており、旋回体３ａ、３ｂの旋回と連動して旋回することができる。
【００１２】
また、前記中心軸３の配置は、各中心軸３を中心に上段横軸部４と下段横軸部５の回転軌跡が重ならないように、即ち、同時に全部の中心軸３を回転させてもそれぞれの上段横軸部４と下段横軸部５がぶつからないように配置するように間隔を設定することが好ましい。
上記中心軸３の配置は図のように横に平行に並べる配置でも、縦横に並べる配置でも良く、天板１と底板２は、平面視で、矩形状でも、円形状（図１０参照）でもよく、幾何学形状や楕円形状など任意の形状としてもよい。
【００１３】
次に、上下に略垂直に対向する上段横軸部４と下段横軸部５には、左右に隣接する上段横軸部４、４と下段横軸部５、５とを仕切る仕切り部６が着脱可能に掛け渡されている。
仕切り部６の素材は特に問わないが、布製や樹脂製などが好ましい。
【００１４】
図示例で、仕切り部６の上段横軸部４や下段横軸部５への掛止め手段は、一例として図３（ｂ）では布地本体の上下に筒部６ａ、６ｂを縫製し、該筒部６ａ、６ｂを上段横軸部４や下段横軸部５に挿通して取り付ける。
この際に、上段横軸部４や下段横軸部５の先端のストッパ１１を着脱自在としておけば、挿通時にストッパ１１を外して容易に挿入させることができて好ましいが、ストッパ１１は上段横軸部４や下段横軸部５に固定されているものでもよい。
【００１５】
図４（ａ）に示す仕切り部６は、上端と下端に上段横軸部４と下段横軸部５に掛止めるためのフック６ａ、６ｂが一体に形成されており、下端のフック６ｂを下段横軸部５に掛止め、上端のフック６ａを上段横軸部４に掛け止めて取り付けている。
例えば上端および下端を上段横軸部４と下段横軸部５にそれぞれ折り返して掛け渡し、二重に重なった個所を、ホックなどのファスナーで着脱可能に固定する構造、その他の公知の着脱構造や掛止構造を用いることができる。
【００１６】
更に、本実施例では、左右に隣接する上段横軸部４と４または下段横軸部５と５の間には、手荷物類掛止め用のフック状の掛止具７が取り付けられている。
中心軸３が回転する場合には、中心軸３に掛止具７が取り付けられている。
中心軸３が固定されている場合には、上段横軸部４や下段横軸部５を旋回させる旋回体３ａまたは３ｂに掛止具７が取り付けられている。
該掛止具７は、中心軸３や旋回体３ａ（３ｂ）に一体的に取り付けられていてもよいし、着脱可能に取り付けられるものでもよい。
【００１７】
上記実施例では、掛止具７が、左右に隣接する上段横軸部４、４間に配置される場合を説明したが、仕切り部６に補助的に掛止具７ａ’を掛止める構造としてもよい。
図４（ａ）に示す図示例では、仕切り部６は平坦で穴のない構造からなっているが、仕切り部６に図４（ｂ）に示すように１または規則的に並んだ複数の受穴７ｂ’を穿設しておき、図４（ｃ）に示す掛止具７ａ’の係合突部７ｃ’を前記受穴７ｂ’に挿入しうるようにしてもよい。
これにより、掛止める手荷物類が嵩張る物品の場合は、中心軸３または旋回体に取り付けた掛止具７を用い、嵩張らない物品や、複数の物品を掛止める場合には仕切り部６に設けた掛止具７ａ’を用いるようにしてもよい。
【００１８】
次に、仕切り部６には、仕切り部６の表裏の一方（例として表側）に基端が固定され一定の長さを有する補助紐部１６が設けられている。
この補助紐部１６の先端には、ボタンファスナー、または面ファスナーの雌雄の一方が第２係合部１８として設けられている。
また、前記仕切り部６の表裏の他方（例として裏側）で前記補助紐部１６の基端に対応する位置には、前記ボタンファスナー、または面ファスナーの雌雄の他方が第１係合部１７が固着されており、前記補助紐部１６の第２係合部１８と係合することができる。
【００１９】
そこで、隣接する仕切り部６，６の間に設けられた掛止具７に物品を掛止めない場合には、仕切り部６に設けられた補助紐部１６を中途位置で折り返し先端の第２係合部１８を同一の仕切り部６に設けられた第１係合部１７に係合して待機位置にセットすることができる。
【００２０】
また、隣接する仕切り部６，６の間に設けられた掛止具７に物品を掛止める場合で、物品が揺れ動くような場合には、一方の仕切り部６に設けられた補助紐部１６を拡げて、その先端の第２係合部１８を隣接する他方の仕切り部６に設けられた第１係合部１７に係合することで、隣接する仕切り部６，６の間を塞ぎ、物品の揺れや動きを抑えて物品が掛止具７から脱落するのを防止する。
この考案で、第１係止具と第２係止具は、雌雄の係合具やボタンとボタン穴の組合せなども含むものである。
【００２１】
更に、この考案では、左右に隣接する上段横軸部４または下段横軸部５の間は開放されている。
そこで上段横軸部４、４間、または下段横軸部５、５間の開放された空間を塞ぎたい場合には、天板蓋部８、または中空底板蓋部９を着脱可能に掛け止めて、それらの開放された空間を塞いで、天板または底板を追加するようにしてもよい。
【００２２】
一例として図９に中空底板蓋部９を示すと、略扇形状の本体９Ａと、該本体９Ａの左右の辺で、一方の辺が基端から中途位置まで延びて断面ＬやＣ、Ｕ字状の一方の掛止め部９ａが形成されて、左右の一方の下段横軸部５に上から掛止められ、他方の辺が中途位置から先端まで延びて断面ＬやＣ、Ｕ字状の他方の掛止め部９ｂが形成されて、左右の他方の下段横軸部５に上から掛け止められる。
ここで、一方の掛止め部９ａまたは他方の掛止め部９ｂが形成された辺の残りの縁部は僅かに内側にくぼむように形成されれば、中空底板蓋部９が隣り合って取付けられた場合に、隣接する辺が緩衝することなく好ましい。
【００２３】
そこで、中空底板蓋部９は全ての下段横軸部５、５、・・に掛け止めて、上段横軸部４や下段横軸部５と共に回転するので、手荷物類の下端を中空底板部上に載置することで、底板２上を摺ることがない。
【００２４】
本実施例では、隣接する上段横軸部４、４と、該上段横軸部４、４の真下の隣接する下段横軸部５と５とで囲まれたスペースＳが、原則として１人分の収納スペースとして利用することができる。
【００２５】
そこで、各収納スペースを識別することができるように、識別子を設けている。
本実施例では、上段横軸部４と下段横軸部５の先端に球体のストッパ１１が固定されており、該ストッパ１１に文字、数字、色彩、図形、または記号などの識別子を表示しておくことで、使用者は容易に自分が収納した手荷物類を見分けることができる。
【００２６】
上記実施例では、児童用の手荷物類や着衣、布製見回り品などを吊り下げる例を示したが、対象が大人であってもよく、また、商品陳列具として用いるものでもよい。
その他この考案は上記実施例に限定されることなく、この考案の要旨を変更しない範囲で種々設計変更することができる。
【符号の説明】
【００２７】
１    天板
２    底板
３    中心軸
３ａ、３ｂ  旋回体
４    上段横軸部
５    下段横軸部
６    仕切り部
７    掛止具
７ａ’掛止具
７ｂ’受穴
８    天板蓋部
９    中空底板蓋部
１０    物品類掛止具
１１    ストッパ
１６    補助紐部
１７    第１係合部
１８    第２係合部
【図１】
0003218080.tif 000003
【図２】
0003218080.tif 000004
【図３】
0003218080.tif 000005
【図４】
0003218080.tif 000006
【図５】
0003218080.tif 000007
【図６】
0003218080.tif 000008
【図７】
0003218080.tif 000009
【図８】
0003218080.tif 000010
【図９】
0003218080.tif 000011
【図１０】
0003218080.tif 000012